(57)【要約】【課題】坂路でアイドリングストップ中に運転者が降車しようとした場合に運転者に降車を思いとどまらせることで、運転者の意図に反して車両が動き出すことを防止することができるアイドリングストップ装置を提供すること。【解決手段】アイドリングストップ装置３は、路面１３の路面勾配を検出する路面勾配検出部６を備えている。また、アイドリングストップ装置３において、エンジン自動再始動部９は、路面勾配が所定値以上であるときに運転席シートベルト１１の装着状態が着状態から脱状態に変化したこと、または、路面勾配が所定値以上であるときに運転席ドア１２の開閉状態が閉状態から開状態に変化したこと、を自動再始動条件としてエンジン２を自動再始動する。【選択図】図１
2015214936.tif 000002
【特許請求の範囲】
【請求項１】
運転席シートベルトの装着状態を検出するシートベルト装着状態検出部と、
運転席ドアの開閉状態を検出するドア開閉状態検出部と、
前記運転席シートベルトの装着状態と前記運転席ドアの開閉状態を含む所定の自動停止条件の成立により、前記エンジンを自動停止するエンジン自動停止部と、
前記エンジン自動停止部により前記エンジンが自動停止されているとき、前記運転席シートベルトの装着状態と前記運転席ドアの開閉状態を含む所定の自動再始動条件の成立により、前記エンジンを自動再始動するエンジン自動再始動部と、を備えるアイドリングストップ装置において、
路面の路面勾配を検出する路面勾配検出部を更に備え、
前記エンジン自動再始動部は、
前記路面勾配が所定値以上であるときに前記運転席シートベルトの装着状態が着状態から脱状態に変化したこと、または、前記路面勾配が所定値以上であるときに前記運転席ドアの開閉状態が閉状態から開状態に変化したこと、を前記自動再始動条件として前記エンジンを自動再始動することを特徴とするアイドリングストップ装置。
【請求項２】
前記エンジン自動再始動部は、
前記路面勾配が所定値未満であるときに、前記運転席シートベルトの装着状態が着状態から脱状態に変化し、かつ、前記運転席ドアの開閉状態が閉状態から開状態に変化したことを条件として前記エンジンの自動再始動を禁止することを特徴とする請求項１に記載のアイドリングストップ装置。
【発明の詳細な説明】
【技術分野】
【０００１】
本発明は、アイドリングストップ装置に関し、特に、エンジンが自動停止されているとき、運転席シートベルトの装着状態と運転席ドアの開閉状態を含む所定の自動再始動条件が成立した場合に、エンジンの自動再始動を実行するアイドリングストップ装置に関する。
【背景技術】
【０００２】
一般に、車両に搭載されるアイドリングストップ装置は、所定の自動停止条件の成立によりエンジンを自動停止するとともに、所定の自動再始動条件の成立によりエンジンを自動再始動することで、無用なアイドリングを回避して燃費を向上させている。
【０００３】
従来のアイドリングストップ装置としては、エンジンの自動停止中に、運転席ドアが開状態、かつ、運転席シートベルトが脱状態となった場合は、運転者が降車すると判断し、自動再始動条件が成立している場合であってもエンジンの自動再始動を禁止するものが知られている（特許文献１参照）。
【先行技術文献】
【特許文献】
【０００４】
【特許文献１】特開２０１３−１８９８７１号公報
【発明の概要】
【発明が解決しようとする課題】
【０００５】
ここで、アイドリングストップ装置を搭載する車両においては、アイドリングストップ装置によりエンジンが自動停止中であることを、シフトレバーをパーキング位置に移動してエンジン停止操作することによりエンジンが停止しているものと運転者が勘違いする場合がある。
【０００６】
運転者がこのような勘違いをしている場合、実際にはシフトレバーがパーキング位置に移動しておらずパーキング機構が作動していないので、車両が坂道で停車している場合、運転者が降車すると車両が動き出すおそれがある。
【０００７】
また、車両にヒルホールド機能が備わっている場合であっても、運転者の降車後は制動圧が次第に減少するため、車両が動き出してしまうおそれがある。
【０００８】
しかしながら、従来のアイドリングストップ装置は、路面勾配に関わらず、運転席ドアが開状態、かつ、運転席シートベルトが脱状態となった場合にエンジンの自動再始動を禁止していた。このため、アイドリングストップによりエンジンが自動停止中であることを、運転者が降車する前に運転者に気付かせることができなかった。
【０００９】
したがって、従来のアイドリングストップ装置は、エンジンが自動停止中の車両が運転者の意図に反して動き出すおそれがあった。
【００１０】
本発明は、上記の課題に鑑みてなされたものであり、坂路でアイドリングストップ中に運転者が降車しようとした場合に運転者に降車を思いとどまらせることで、運転者の意図に反して車両が動き出すことを防止することができるアイドリングストップ装置を提供することを目的とする。
【課題を解決するための手段】
【００１１】
上述した課題を解決し、目的を達成するために、本発明の第１の態様は、運転席シートベルトの装着状態を検出するシートベルト装着状態検出部と、運転席ドアの開閉状態を検出するドア開閉状態検出部と、前記運転席シートベルトの装着状態と前記運転席ドアの開閉状態を含む所定の自動停止条件の成立により、前記エンジンを自動停止するエンジン自動停止部と、前記エンジン自動停止部により前記エンジンが自動停止されているとき、前記運転席シートベルトの装着状態と前記運転席ドアの開閉状態を含む所定の自動再始動条件の成立により、前記エンジンを自動再始動するエンジン自動再始動部と、を備えるアイドリングストップ装置において、路面の路面勾配を検出する路面勾配検出部を更に備え、前記エンジン自動再始動部は、前記路面勾配が所定値以上であるときに前記運転席シートベルトの装着状態が着状態から脱状態に変化したこと、または、前記路面勾配が所定値以上であるときに前記運転席ドアの開閉状態が閉状態から開状態に変化したこと、を前記自動再始動条件として前記エンジンを自動再始動するものから構成されている。
【００１２】
本発明の第２の態様としては、前記エンジン自動再始動部は、前記路面勾配が所定値未満であるときに、前記運転席シートベルトの装着状態が着状態から脱状態に変化し、かつ、前記運転席ドアの開閉状態が閉状態から開状態に変化したことを条件として前記エンジンの自動再始動を禁止することが好ましい。
【発明の効果】
【００１３】
本発明の第１の態様によれば、路面勾配が所定値以上のときは、シフトレバー操作によりパーキング機構を作動させてイグニッションオフによりエンジンを停止したものと勘違いした運転者が、降車のために運転席シートベルトを外したり運転席ドアを開扉した場合、エンジンが自動再始動される。このため、運転者のエンジン停止操作ではなくアイドリングストップによりエンジンが自動停止していたことを、エンジンの自動再始動により運転者に認識させることができる。したがって、坂路でアイドリングストップ中に運転者が降車しようとした場合に運転者に降車を思いとどまらせることで、運転者の意図に反して車両が動き出すことを防止することができる。
【００１４】
本発明の第２の態様によれば、路面勾配が所定値未満のとき、運転者がイグニッションオフによりエンジンが停止中であると勘違いして降車のために運転席シートベルトを外し、かつ、運転席ドアを開扉した場合、エンジンの自動再始動が禁止される。このため、アイドリングストップによる燃費向上効果を維持することができる。
【図面の簡単な説明】
【００１５】
【図１】図１は、本発明のアイドリングストップ装置の一実施形態を示す図であり、アイドリングストップ装置を備える車両の構成図である。
【図２】図２は、本発明のアイドリングストップ装置の一実施形態を示す図であり、アイドリングストップ装置の動作を示すフローチャートである。
【発明を実施するための形態】
【００１６】
以下、本発明に係るアイドリングストップ装置の実施形態について、図面を用いて説明する。
【００１７】
図１、図２、本発明に係る一実施形態のアイドリングストップ装置を示す図である。
【００１８】
まず、構成を説明する。図１において、車両１は、エンジン２と、アイドリングストップ装置３とを備えている。アイドリングストップ装置３は、所定の自動停止条件の成立によりエンジン２を自動停止するとともに、所定の自動再始動条件の成立によりエンジン２を自動再始動させるようになっている。また、車両１は、運転者が着座する運転席１０と、この運転席１０に装備された運転席シートベルト１１と、運転席ドア１２とを備えている。
【００１９】
図１に示すように、アイドリングストップ装置３は、シートベルト装着状態検出部４と、ドア開閉状態検出部５と、路面勾配検出部６と、アイドリングストップ制御装置７とを備えている。
【００２０】
シートベルト装着状態検出部４は、運転席シートベルト１１に設けられており、運転席シートベルト１１の装着状態が着状態または脱状態の何れであるかを検出するようになっている。シートベルト装着状態検出部４は、アイドリングストップ制御装置７に接続されており、検出信号をアイドリングストップ制御装置７に出力するようになっている。
【００２１】
ドア開閉状態検出部５は、運転席ドア１２に設けられており、運転席ドア１２の開閉状態が開状態または閉状態の何れであるかを検出するようになっている。ドア開閉状態検出部５は、アイドリングストップ制御装置７に接続されており、検出信号をアイドリングストップ制御装置７に出力するようになっている。
【００２２】
路面勾配検出部６は、加速度センサから構成されており、車両１の姿勢を検出することで、間接的に路面１３の路面勾配を検出するようになっている。路面勾配検出部６は、アイドリングストップ制御装置７に接続されており、検出した路面勾配をアイドリングストップ制御装置７に出力するようになっている。
【００２３】
アイドリングストップ制御装置７は、エンジン自動停止部８と、エンジン自動再始動部９とを備えており、所定の自動停止条件を満たすとエンジン２を自動停止するとともに所定の自動再始動条件を満たすとエンジン２を自動再始動する、所謂アイドリングストップ制御を実行するようになっている。
【００２４】
ここで、アイドリングストップ制御装置７は、ＣＰＵ（Central Processing Unit）と、ＲＡＭ（Random Access Memory）と、ＲＯＭ（Read Only Memory）と、フラッシュメモリと、入力ポートと、出力ポートとを備えたコンピュータユニットによって構成されている。アイドリングストップ制御装置７のＲＯＭには、各種制御定数や各種マップ等と共に、当該コンピュータユニットをアイドリングストップ制御装置７として機能させるためのプログラムが記憶されている。
【００２５】
すなわち、アイドリングストップ制御装置７において、ＣＰＵがＲＯＭからＲＡＭにプログラムを読み込み、そのプログラムをＲＡＭの一部の格納領域を作業領域として実行することにより、当該コンピュータユニットは、アイドリングストップ制御装置７として機能する。
【００２６】
エンジン自動停止部８は、運転席シートベルト１１の装着状態と運転席ドア１２の開閉状態を含む所定の自動停止条件の成立により、エンジン２を自動停止するようになっている。
【００２７】
具体的には、エンジン自動停止部８は、シートベルト装着状態検出部４およびドア開閉状態検出５からの検出信号に基づいて、運転席シートベルト１１の装着状態と運転席ドア１２の開閉状態を含む所定の自動停止条件が成立したか否かを判定する。そして、エンジン自動停止部８は、所定の自動停止条件が成立したと判定した場合にエンジン２を自動停止する。
【００２８】
エンジン自動再始動部９は、エンジン自動停止部８によりエンジン２が自動停止されているとき、運転席シートベルト１１の装着状態と運転席ドア１２の開閉状態を含む所定の自動再始動条件の成立により、エンジン２を自動再始動するようになっている。
【００２９】
本実施形態では、エンジン自動再始動部９は、路面勾配検出部６で検出された路面勾配が所定値以上であるとき、運転席シートベルト１１の装着状態が着状態から脱状態に変化したこと、または、運転席ドア１２の開閉状態が閉状態から開状態に変化したことの何れかの成立を自動再始動条件として、エンジン２を自動再始動するようになっている。
【００３０】
また、エンジン自動再始動部９は、路面勾配検出部６で検出された路面勾配が所定値未満であるときに、運転席シートベルト１１の装着状態が着状態から脱状態に変化し、かつ、運転席ドア１２の開閉状態が閉状態から開状態に変化したことを条件としてエンジン２の自動再始動を禁止するようになっている。
【００３１】
ここで、路面勾配の所定値は、例えば、運転者がブレーキペダルから足を離した場合に車両１が動き出す境界となるような路面勾配とする。
【００３２】
次に、図２に示すフローチャートを参照してアイドリングストップ装置３の動作を説明する。図２に示す処理は、アイドリングストップ制御装置７のエンジン自動再始動部９による動作を示すものである。
【００３３】
まず、エンジン自動再始動部９は、エンジン２が自動停止中であるか否かを判定する（ステップＳ１）。ここで、エンジン２の自動停止中とは、自動停止条件の成立に基づいてエンジン２がエンジン自動停止部８により停止されていることを意味する。
【００３４】
エンジン自動再始動部９は、エンジン２が自動停止中ではないと判定した場合（ステップＳ１で"Ｎｏ"）、このフローチャートの処理を終了し、エンジン２が自動停止中であると判定した場合（ステップＳ１で"Ｙｅｓ"）、路面勾配検出部６で検出された路面勾配が所定値以上であるかを判定する（ステップＳ２）。
なお、ステップＳ２の判定に用いる路面勾配は、エンジン２が自動停止されたときの路面勾配を採用してもよいし、ステップＳ２の判定時の路面勾配を採用してもよい。
【００３５】
エンジン自動再始動部９は、ステップＳ２で路面勾配が所定値以上であると判定した場合（ステップＳ２で"Ｙｅｓ"）、運転席シートベルト１１の装着状態が着状態から脱状態に変化した、または、運転席ドア１２の開閉状態が閉状態から開状態に変化したかを判定する（ステップＳ３）。
【００３６】
エンジン自動再始動部９は、ステップＳ３で運転席シートベルト１１の装着状態が着状態から脱状態に変化した、または、運転席ドア１２の開閉状態が閉状態から開状態に変化したと判定した場合（ステップＳ３で"Ｙｅｓ"）、エンジン２の自動再始動を実行し（ステップＳ４）、このフローチャートの処理を終了する。ステップＳ３の判定が"Ｎｏ"であった場合、エンジン自動再始動部９は、このフローチャートの処理を終了する。
【００３７】
一方、エンジン自動再始動部９は、ステップＳ２で路面勾配が所定値未満であると判定した場合（ステップＳ２で"Ｎｏ"）、運転席シートベルト１１の装着状態が着状態から脱状態に変化し、かつ、運転席ドア１２の開閉状態が閉状態から開状態に変化したかを判定する（ステップＳ５）。
【００３８】
エンジン自動再始動部９は、ステップＳ５で運転席シートベルト１１の装着状態が着状態から脱状態に変化し、かつ、運転席ドア１２の開閉状態が閉状態から開状態に変化したと判定した場合（ステップＳ５で"Ｙｅｓ"）、エンジン２の自動再始動を禁止し（ステップＳ６）、このフローチャートの処理を終了する。また、ステップＳ５の判定が"Ｎｏ"であった場合、エンジン自動再始動部９は、このフローチャートの処理を終了する。
【００３９】
以上のように、本実施の形態に係るアイドリングストップ装置３は、路面１３の路面勾配を検出する路面勾配検出部６を備えている。また、アイドリングストップ装置３において、エンジン自動再始動部９は、路面勾配が所定値以上であるときに運転席シートベルト１１の装着状態が着状態から脱状態に変化したこと、または、路面勾配が所定値以上であるときに運転席ドア１２の開閉状態が閉状態から開状態に変化したこと、を自動再始動条件としてエンジン２を自動再始動する。
【００４０】
これにより、路面勾配が所定値以上であるとき、運転者がエンジン停止操作によりエンジン２が停止中であると勘違いして降車のために運転席シートベルト１１を外したり運転席ドア１２を開扉した場合に、エンジン２が自動再始動される。
【００４１】
このため、運転者のエンジン停止装置ではなくアイドリングストップによりエンジン２が自動停止していたことを、エンジン２の自動再始動により運転者に認識させることができる。
【００４２】
したがって、坂路でアイドリングストップ中に運転者が降車しようとした場合に運転者に降車を思いとどまらせることで、運転者の意図に反して車両１が動き出すことを防止することができる。
【００４３】
また、本実施の形態に係るアイドリングストップ装置３において、エンジン自動再始動部９は、路面勾配が所定値未満であるときに、運転席シートベルト１１の装着状態が着状態から脱状態に変化し、かつ、運転席ドア１２の開閉状態が閉状態から開状態に変化したことを条件としてエンジン２の自動再始動を禁止する。
【００４４】
これにより、路面勾配が所定値未満であるとき、運転者がイグニッションオフによりエンジン２が停止中であると勘違いして降車のために運転席シートベルト１１を外し、かつ、運転席ドア１２を開扉した場合、エンジン２の自動再始動が禁止される。
【００４５】
このため、アイドリングストップによる燃費向上効果を維持することができる。
【００４６】
本発明の実施形態を開示したが、当業者によっては本発明の範囲を逸脱することなく変更が加えられうることは明白である。すべてのこのような修正および等価物が次の請求項に含まれることが意図されている。
【符号の説明】
【００４７】
１...車両、２...エンジン、３...アイドリングストップ装置、４...シートベルト装着状態検出部、５...ドア開閉状態検出部、６...路面勾配検出部、８...エンジン自動停止部、９...エンジン自動再始動部、１１...運転席シートベルト、１２...運転席ドア、１３...路面
【図１】
2015214936.tif 000003
【図２】
2015214936.tif 000004